(57)【要約】【課題】外来ノイズを確実に抑制することができ、かつ高い効率で製造することができる、高周波機器、コンバータおよびアンテナ装置を提供する。【解決手段】シャーシ５は、導電性を有し、かつ、シャーシ内側部ＩＰと、シャーシ内側部ＩＰを囲むシャーシ外側部ＯＰとを有する。基板７は、シャーシ内側部ＩＰ上に設けられ、かつ高周波回路を有する。板金部材６ａは、シャーシ外側部ＯＰ上に設けられている。フレーム８は、導電性を有し、かつ基板７を覆い、かつシャーシ外側部ＯＰとの間に板金部材６ａを挟み込んでいる。板金部材６ａは、シャーシ外側部ＯＰとフレーム８との間に挟まれることによって弾性変形している。【選択図】図４
2010067779.tif 000002
【特許請求の範囲】
【請求項１】
導電性を有し、かつ、シャーシ内側部と、前記シャーシ内側部を囲むシャーシ外側部とを有するシャーシと、
前記シャーシ内側部上に設けられ、かつ高周波回路を有する基板と、
前記シャーシ外側部上に設けられた板金部材と、
導電性を有し、かつ前記基板を覆い、かつ前記シャーシ外側部との間に前記板金部材を挟み込むフレームとを備え、
前記板金部材は、前記シャーシ外側部と前記フレームとの間に挟まれることによって弾性変形している、高周波機器。
【請求項２】
前記板金部材は、前記シャーシ外側部側および前記フレーム側の一方側が突起しかつ他方側が窪んだ部分を有する、請求項１に記載の高周波機器。
【請求項３】
前記部分は半円状の形状を有する、請求項２に記載の高周波機器。
【請求項４】
前記板金部材は、前記フレームの外側および内側の少なくともいずれかにリブを有する、請求項１〜３のいずれかに記載の高周波機器。
【請求項５】
前記板金部材は、
前記シャーシ外側部に対して第１の角度をなす複数の第１の部分と、
前記シャーシ外側部に対して第１の角度と異なる第２の角度をなし、かつ前記複数の第１の部分のうち互いに隣り合う１対の第１の部分の間から前記シャーシ外側部の方に突出することで、前記シャーシ外側部と接触する第２の部分とを含む、請求項１に記載の高周波機器。
【請求項６】
導電性を有し、かつ、シャーシ内側部と、前記シャーシ内側部を囲むシャーシ外側部とを有するシャーシと、
前記シャーシ内側部上に設けられた板金内側部と、前記板金内側部から張出した板金外側部とを有する板金部材と、
前記板金内側部上に設けられ、かつ高周波回路を有する基板と、
導電性を有し、かつ前記基板を覆い、かつ前記シャーシ外側部に向かって前記板金外側部の少なくとも一部を押し付けるフレームとを備え、
前記板金部材は、前記板金外側部の少なくとも一部が前記フレームに押されることによって弾性変形している、高周波機器。
【請求項７】
前記板金外側部は、
前記フレームの端面に対して第１の角度をなす複数の第１の部分と、
前記フレームの端面に対して第１の角度と異なる第２の角度をなし、かつ前記複数の第１の部分のうち互いに隣り合う１対の第１の部分の間から前記フレームの端面の方に突出することで、前記フレームの端面と接触する第２の部分とを含む、請求項６に記載の高周波機器。
【請求項８】
請求項１〜７のいずれかに記載の高周波機器と、
衛星放送および衛星通信の少なくともいずれかに用いられる周波数を有する第１の信号を前記高周波回路へ入力するための入力部とを備え、
前記高周波回路は、前記第１の信号をチューナで受信できる第２の信号に変換するように構成され、
前記第２の信号を前記高周波機器から出力するための出力部をさらに備えた、コンバータ。
【請求項９】
請求項８に記載のコンバータと、
前記周波数を有する電波を前記入力部に収束させるためのアンテナ部とを備えた、アンテナ装置。
【発明の詳細な説明】
【技術分野】
【０００１】
本発明は、高周波機器、コンバータおよびアンテナ装置に関するものである。
【背景技術】
【０００２】
衛星放送または衛星通信を受信するためにアンテナ装置が用いられる。アンテナ装置は、アンテナ部と、コンバータ（ＬＮＢ：Low Noise Block）とを有する。アンテナ部は、たとえばパラボラ形状を有し、コンバータに電波を集める機能を有する。このコンバータは、衛星放送または衛星通信の電波の周波数を変換する高周波回路を有する基板を含む。またコンバータは、高周波回路が外来ノイズによる障害を受けないようにするために、基板を外界から電磁的にシールドする構造を有する。
【０００３】
特許文献１が開示するコンバータは、回路基板と、シャーシと、ＲＦカバーと、金属メッシュとを有する。この公報によれば、ＲＦカバーの周囲とシャーシとの間に金属メッシュが挟み込まれることで、電気的に完全にシールが行なわれる。
【特許文献１】実開平５−８８０７６号公報
【発明の開示】
【発明が解決しようとする課題】
【０００４】
上記特許文献１の技術において、外来ノイズを確実に抑制するためには、金属メッシュの位置を精度よく位置決めする必要がある。しかし金属メッシュは容易に塑性変形するため、所望の位置に精確に取り付けるためには、たとえば両面テープを用いて金属メッシュを固定するなどの作業が必要であった。このため、このコンバータは、製造効率が悪いという問題があった。
【０００５】
本発明は、上記の課題に鑑みてなされたものであり、その主な目的は、外来ノイズを確実に抑制することができ、かつ高い効率で製造することができる、高周波機器、コンバータおよびアンテナ装置を提供することである。
【課題を解決するための手段】
【０００６】
本発明の一の局面にしたがう高周波機器は、シャーシと、基板と、板金部材と、フレームとを有する。シャーシは、導電性を有し、かつ、シャーシ内側部と、シャーシ内側部を囲むシャーシ外側部とを有する。基板は、シャーシ内側部上に設けられ、かつ高周波回路を有する。板金部材は、シャーシ外側部上に設けられている。フレームは、導電性を有し、かつ基板を覆い、かつシャーシ外側部との間に板金部材を挟み込んでいる。板金部材は、シャーシ外側部とフレームとの間に挟まれることによって弾性変形している。
【０００７】
本発明の一の局面にしたがう高周波機器によれば、板金部材は、シャーシ外側部とフレームとの間に挟まれることによって弾性変形しているため、弾性によってシャーシ外側部とフレームとの双方に確実に接触することができる。これによりシャーシとフレームとが確実に電気的に接続されるので、確実に外来ノイズを抑制することができる。また板金部材は、その板厚および形状が適宜調整されることによって、その位置決めに支障が生じない程度の剛性を有することができる。よって板金部材の位置決めを単純に板金部材を配置するだけで行なうことができるので、板金部材を用いた高周波機器の製造効率を高めることができる。
【０００８】
上記の一の局面にしたがう高周波機器において好ましくは、板金部材は、シャーシ外側部側およびフレーム側の一方側が突起しかつ他方側が窪んだ部分を有する。
【０００９】
これにより板金部材は、シャーシ外側部とフレームとの間に挟まれた際に、容易に弾性変形することができる。
【００１０】
上記の一の局面にしたがう高周波機器においてさらに好ましくは、上記部分は半円状の形状を有する。
【００１１】
これにより上記部分は点接触が可能となるので、接触が安定化される。
上記の一の局面にしたがう高周波機器において好ましくは、板金部材は、フレームの外側および内側の少なくともいずれかにリブを有する。
【００１２】
これにより、板金部材のねじれ強度が大きくなるので、板金部材が組み込まれる際の作業性が向上する。またフレームと板金部材との相対位置を安定化することができる。またリブが外来ノイズをさらに遮断することができる。
【００１３】
上記の一の局面にしたがう高周波機器において好ましくは、板金部材は第１および第２の部分を有する。第１の部分は、シャーシ外側部に対して第１の角度をなしている。第２の部分は、シャーシ外側部に対して第１の角度と異なる第２の角度をなし、かつ複数の第１の部分のうち互いに隣り合う１対の第１の部分の間からシャーシ外側部の方に突出することで、シャーシ外側部と接触している。
【００１４】
これにより板金部材は、シャーシ外側部とフレームとの間に挟まれた際に、容易に弾性変形することができる。
【００１５】
本発明の他の局面にしたがう高周波機器は、シャーシと、板金部材と、基板と、フレームとを有する。シャーシは、導電性を有し、かつ、シャーシ内側部と、シャーシ内側部を囲むシャーシ外側部とを有する。板金部材は、シャーシ内側部上に設けられた板金内側部と、板金内側部から張出した板金外側部とを有する。基板は、板金内側部上に設けられ、かつ高周波回路を有する。フレームは、導電性を有し、かつ基板を覆い、かつシャーシ外側部に向かって板金外側部の少なくとも一部を押し付けている。板金部材は、板金外側部の少なくとも一部がフレームに押されることによって弾性変形している。
【００１６】
本発明の他の局面にしたがう高周波機器によれば、板金部材は、板金外側部の少なくとも一部がフレームに押されることによって弾性変形しているため、弾性によってフレームに確実に接触することができる。また板金内側部がシャーシ内側部上に設けられているので、板金部材とシャーシとが互いに確実に接触することができる。これによりシャーシとフレームとが確実に電気的に接続されるので、確実に外来ノイズを抑制することができる。また板金部材は、その板厚および形状が適宜調整されることによって、その位置決めに支障が生じない程度の剛性を有することができる。よって板金部材の位置決めを単純に板金部材を配置するだけで行なうことができるので、板金部材を用いた高周波機器の製造効率を高めることができる。
【００１７】
上記の他の局面にしたがう高周波機器において好ましくは、板金外側部は、第１および第２の部分を含む。第１の部分は、フレームの端面に対して第１の角度をなしている。第２の部分は、フレームの端面に対して第１の角度と異なる第２の角度をなし、かつ複数の第１の部分のうち互いに隣り合う１対の第１の部分の間からフレームの端面の方に突出することで、フレームの端面と接触している。
【００１８】
これにより第２の部分が容易に弾性変形することができるので、シャーシとフレームとがより確実に電気的に接続される。
【００１９】
本発明のコンバータは、上記の高周波機器と、入力部と、出力部とを有する。入力部は、衛星放送および衛星通信の少なくともいずれかに用いられる周波数を有する第１の信号を高周波回路へ入力するためのものである。高周波回路は、第１の信号をチューナーで受信できる第２の信号に変換するように構成されている。出力部は、第２の信号を高周波機器から出力するためのものである。
【００２０】
本発明のコンバータによれば、第２の信号への外来ノイズの影響を抑制することができ、かつコンバータの製造効率を高めることができる。
【００２１】
本発明のアンテナ装置は、上記のコンバータと、アンテナ部とを有する。アンテナ部は、上記の周波数を有する電波を入力部に収束させるためのものである。
【００２２】
本発明のアンテナ装置によれば、上記の電波が変換されることで第２の信号への外来ノイズの影響を抑制することができ、かつアンテナ装置の製造効率を高めることができる。
【発明の効果】
【００２３】
以上説明したように本発明の高周波機器、コンバータまたはアンテナ装置によれば、外来ノイズの影響を抑制することができ、かつ製造効率を高めることができる。
【発明を実施するための最良の形態】
【００２４】
以下、本発明の実施の形態について図に基づいて説明する。
（実施の形態１）
図１は、本発明の実施の形態１における衛星放送受信用のアンテナ装置を用いた衛星放送受信システムの構成を概略的に示す説明図である。図１を参照して、本実施の形態における衛星放送受信システムは、アンテナ装置８０と、ＩＦケーブル８３と、チューナー８４と、テレビジョン受像機８５とを有している。アンテナ装置８０は、アンテナ部８１と、コンバータ８２ａ（ＬＮＢ）とを有する。アンテナ部８１は、衛星放送からの電波を反射することでコンバータ８２ａの入力部に収束させるものである。ＩＦケーブル８３は、コンバータ８２ａの出力部とチューナー８４とを電気的に接続している。
【００２５】
衛星放送からの電波は、アンテナ部８１で収束されて、衛星放送周波数を有する第１の信号として、コンバータ８２ａの入力部に入力される。コンバータ８２ａは、この第１の信号をチューナー８４で受信できる第２の信号に変換して出力部から出力する。ＩＦケーブル８３は、この第２の信号をチューナー８４に伝達する。チューナー８４はテレビジョン受像機８５に接続されており、視聴者はテレビジョン受像機８５によって衛星放送の内容を視聴することができる。
【００２６】
図２は、本発明の実施の形態１における衛星放送受信用のコンバータの機能ブロックを示す図である。図２を参照して、本実施の形態のコンバータは、入力部７１と、低ノイズアンプ７２と、バンドパスフィルタ（ＢＰＦ：Band Pass Filter）７３と、ミキサ(Mixer)７４と、局部発信回路７５と、ＩＦアンプ７６と、制御回路７７と、出力部７８とを有する。入力部７１は、導波管と、中心導体とを有している。出力部７８は、同軸ケーブルが接続されるためのコネクタである。
【００２７】
図３は、本発明の実施の形態１におけるコンバータの構成を概略的に示す分解斜視図である。図４は、図３の線ＩＶ−ＩＶ線に沿った概略断面図である。図５は、本発明の実施の形態１におけるコンバータの構成を概略的に示す平面図である。図６は、図５の線ＶＩ−ＶＩに沿った概略断面図である。図７は、図６の破線部ＶＩＩの概略拡大図である。
【００２８】
主に図３〜図７を参照して、本実施の形態のコンバータ８２ａは、シャーシ５と、基板７と、板金部材６ａと、フレーム８と、入力部７１とを有する。シャーシ５は、たとえば金属からなり、導電性を有する。またシャーシ５は、図４に示すように、シャーシ内側部ＩＰと、シャーシ内側部ＩＰを囲むシャーシ外側部ＯＰとを有する。基板７は、シャーシ内側部ＩＰ上に設けられている。また基板７は、図３に示す高周波回路を有する。フレーム８は、たとえば金属からなり、導電性を有する。またフレーム８は、基板７を覆っている。
【００２９】
板金部材６ａは、シャーシ外側部ＯＰ上に設けられ、シャーシ外側部ＯＰとフレーム８との間に挟まれている。また板金部材６ａは、シャーシ外側部ＯＰ側が突起し、かつフレーム８側が窪んだ半球状の形状を有する半球部分ＨＭを含む。これにより半球部分ＨＭは、ネジなど（図示せず）による締付けによって、図７の矢印に示すように、シャーシ外側部ＯＰに押し付けられている。半球部分ＨＭは、シャーシ外側部ＯＰ側が突起し、かつフレーム８側が窪んだ半球状の形状を有するので、シャーシ外側部ＯＰ側に押し付けられることで弾性変形している。この弾性変形によって、半球部分ＨＭはシャーシ外側部ＯＰに点接触している。
【００３０】
本発明のコンバータ８２ａによれば、板金部材６ａは、シャーシ外側部ＯＰとフレーム８との間に挟まれることによって弾性変形しているため、弾性によってシャーシ外側部ＯＰとフレーム８との双方に確実に接触することができる。これによりシャーシ５とフレーム８とが確実に電気的に接続されるので、確実に外来ノイズを抑制することができる。よってチューナー８４（図１）に送られるコンバータ８２ａの受信信号の品質を高めることができる。すなわちアンテナ部８１によって集められた電波による信号を、高い品質の受信信号としてチューナー８４へ送ることができる。
【００３１】
また板金部材６ａは、その板厚および形状が適宜調整されることによって、その位置決めに支障が生じない程度の剛性を有することができる。よって板金部材６ａの位置決めを単純に板金部材６ａを配置するだけで行なうことができるので、板金部材６ａを用いたコンバータ８２ａの製造効率を高めることができる。よってコンバータ８２ａを有するアンテナ装置８０（図１）の製造効率を高めることができる。
【００３２】
また半球部分ＨＭがシャーシ外側部ＯＰ側に突起しているので、シャーシ外側部ＯＰの面積を大きくしておくことで、安定的に半球部分ＨＭが弾性変形される。
【００３３】
なお本実施の形態においては上記のように半球部分ＨＭがシャーシ外側部ＯＰ側に突起しているが、本発明はこれに限定されるものではなくて、半球部分ＨＭはフレーム８側に突起していてもよい。
【００３４】
（実施の形態２）
図８は、本発明の実施の形態２におけるコンバータの構成を概略的に示す分解斜視図である。図９は、図８の線ＩＸ−ＩＸ線に沿った概略断面図である。図１０は、本発明の実施の形態２におけるコンバータの構成を概略的に示す平面図である。図１１は、図１０の線ＸＩ−ＸＩに沿った概略断面図である。図１２は、図１１の破線部ＸＩＩの概略拡大図である。
【００３５】
主に図８〜図１２を参照して、本実施の形態のコンバータ８２ｂは、実施の形態１の板金部材６ａの代わりに、板金部材６ｂを有する。板金部材６ｂは、フレーム８の外側（図１２における右側）にリブＲｏを有する。
【００３６】
なお、上記以外の構成については、上述した実施の形態１の構成とほぼ同じであるため、同一または対応する要素について同一の符号を付し、その説明を繰り返さない。
【００３７】
本実施の形態によれば、リブＲｏによって板金部材６ｂのねじれ強度が大きくなるので、板金部材６ｂが組み込まれる際の作業性が向上する。またリブＲｏがガイドとして機能することで、フレーム８と板金部材６ｂとの相対位置を安定化することができる。またリブＲｏが外来ノイズをさらに遮断することができる。
【００３８】
（実施の形態３）
図１３は、本発明の実施の形態３におけるコンバータの構成を概略的に示す分解斜視図である。図１４は、図１３の線ＸＩＶ−ＸＩＶ線に沿った概略断面図である。図１５は、本発明の実施の形態３におけるコンバータの構成を概略的に示す平面図である。図１６は、図１５の線ＸＶＩ−ＸＶＩに沿った概略断面図である。図１７は、図１６の破線部ＸＶＩＩの概略拡大図である。
【００３９】
主に図１３〜図１７を参照して、本実施の形態のコンバータ８２ｃは、実施の形態２の板金部材６ｂ（図１２）の代わりに、板金部材６ｃを有する。板金部材６ｃは、フレーム８の内側（図１７における左側）にリブＲｉを有する。
【００４０】
なお、上記以外の構成については、上述した実施の形態２の構成とほぼ同じであるため、同一または対応する要素について同一の符号を付し、その説明を繰り返さない。
【００４１】
本実施の形態によっても、実施の形態２と同様の効果が得られる。
（実施の形態４）
図１８は、本発明の実施の形態４におけるコンバータの構成を概略的に示す分解斜視図である。図１９は、図１８の線ＸＩＸ−ＸＩＸ線に沿った概略断面図である。図２０は、本発明の実施の形態４におけるコンバータの構成を概略的に示す平面図である。図２１は、図２０の線ＸＸＩ−ＸＸＩに沿った概略断面図である。図２２は、図２１の破線部ＸＸＩＩの概略拡大図である。
【００４２】
主に図１８〜図２２を参照して、本実施の形態のコンバータ８２ｄは、実施の形態２の板金部材６ｂ（図１２）の代わりに、板金部材６ｄを有する。板金部材６ｄは、フレーム８の外側および内側（図２２における右側および左側）のそれぞれにリブＲｏおよびＲｉを有する。
【００４３】
なお、上記以外の構成については、上述した実施の形態２の構成とほぼ同じであるため、同一または対応する要素について同一の符号を付し、その説明を繰り返さない。
【００４４】
本実施の形態によっても、実施の形態２と同様の効果が得られる。
（実施の形態５）
図２３は、本発明の実施の形態５におけるコンバータの構成を概略的に示す分解斜視図である。図２４は、図２３の線ＸＸＩＶ−ＸＸＩＶ線に沿った概略断面図である。図２５は、本発明の実施の形態５におけるコンバータの構成を概略的に示す平面図である。図２６は、図２５の線ＸＸＶＩ−ＸＸＶＩに沿った概略断面図である。図２７は、図２６の破線部ＸＸＶＩＩの概略拡大図である。
【００４５】
主に図２３〜図２７を参照して、本実施の形態のコンバータ８２ｅは、実施の形態１の板金部材６ａの代わりに、板金部材６ｅを有する。板金部材６ｅは、第１の部分Ｓ１と、第２の部分Ｓ２とを有する。第１の部分Ｓ１は、シャーシ外側部ＯＰに対して水平の角度をなしている。第２の部分Ｓ２は、シャーシ外側部ＯＰに対して傾斜した角度をなし、かつ複数の第１の部分Ｓ１のうち互いに隣り合う１対の第１の部分Ｓ１の間からシャーシ外側部ＯＰの方に突出することで、シャーシ外側部ＯＰと接触している。
【００４６】
なお、上記以外の構成については、上述した実施の形態１の構成とほぼ同じであるため、同一または対応する要素について同一の符号を付し、その説明を繰り返さない。
【００４７】
本実施の形態によれば、板金部材６ｅの第２の部分Ｓ２がばね性をもってシャーシ外側部ＯＰと接触するので、板金部材６ｅによってシャーシ外側部ＯＰとフレーム８とを確実に電気的に接続することができる。すなわちシャーシ５とフレーム８とが確実に電気的に接続されるので、確実に外来ノイズを抑制することができる。よってチューナー８４（図１）に送られるコンバータ８２ｅの受信信号の品質を高めることができる。すなわちアンテナ部８１によって集められた電波による信号を、高い品質の受信信号としてチューナー８４へ送ることができる。
【００４８】
また板金部材６ｅは、その板厚および形状が適宜調整されることによって、その位置決めに支障が生じない程度の剛性を有することができる。よって板金部材６ｅの位置決めを単純に板金部材６ｅを配置するだけで行なうことができるので、板金部材６ｅを用いたコンバータ８２ｅの製造効率を高めることができる。よってコンバータ８２ｅを有するアンテナ装置８０の製造効率を高めることができる。
【００４９】
（実施の形態６）
図２８は、本発明の実施の形態６におけるコンバータの構成を概略的に示す分解斜視図である。図２９は、図２８の線ＸＸＩＸ−ＸＸＩＸ線に沿った概略断面図である。図３０は、本発明の実施の形態６におけるコンバータの構成を概略的に示す平面図である。図３１は、図３０の線ＸＸＸＩ−ＸＸＸＩに沿った概略断面図である。図３２は、図３１の破線部ＸＸＸＩＩの概略拡大図である。
【００５０】
主に図２８〜図３２を参照して、本実施の形態のコンバータ８２ｆは、実施の形態１の板金部材６ａの代わりに、板金部材６ｆを有する。板金部材６ｆは、シャーシ内側部ＩＰ上に設けられた板金内側部ＣＰと、板金内側部ＣＰから張出した板金外側部ＰＰとを有する。板金内側部ＣＰ上に基板７が設けられている。基板７は、板金内側部ＣＰに面する面（図３２における下面）に接地面（ＧＮＤ面）を有する。板金外側部ＰＰは、第１の部分Ｆ１および第２の部分Ｆ２を含む。
【００５１】
第１の部分Ｆ１は、フレーム８の端面に対して水平な角度をなしている。第２の部分Ｆ２は、フレーム８の端面に対して傾斜した角度をなし、かつ複数の第１の部分Ｆ１のうち互いに隣り合う１対の第１の部分Ｆ１の間からフレーム８の端面の方に突出することで、フレーム８の端面と接触している。すなわち第２の部分Ｆ２は、フレーム８によってシャーシ外側部ＯＰに向かって押し付けられている。第２の部分Ｆ２は、第１の部分Ｆ１からフレーム８の端面の方に突出しているので、フレーム８によってより容易に弾性変形することができる。よってシャーシ５とフレーム８とがより確実に電気的に接続される。
【００５２】
本実施の形態のコンバータ６２ｆによれば、板金部材６ｆは、第２の部分Ｆ２がフレーム８に押されることによって弾性変形しているため、弾性によってフレーム８に確実に接触することができる。また板金内側部ＣＰがシャーシ内側部ＩＰ上に設けられているので、板金部材６ｆとシャーシ５とが互いに確実に接触することができる。これによりシャーシ５とフレーム８とが確実に電気的に接続されるので、確実に外来ノイズを抑制することができる。よってチューナー８４（図１）に送られるコンバータ８２ｆの受信信号の品質を高めることができる。すなわちアンテナ部８１によって集められた電波による信号を、高い品質の受信信号としてチューナー８４へ送ることができる。
【００５３】
また板金部材６ｆは、その板厚および形状が適宜調整されることによって、その位置決めに支障が生じない程度の剛性を有することができる。よって板金部材６ｆの位置決めを単純に板金部材６ｆを配置するだけで行なうことができるので、板金部材６ｆを用いたコンバータ６２ｆの製造効率を高めることができる。よってコンバータ８２ｆを有するアンテナ装置８０（図１）の製造効率を高めることができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５５】
本発明は、高周波機器、コンバータおよびアンテナ装置に特に有利に適用され得る。
【図面の簡単な説明】
【００５６】
【図１】本発明の実施の形態１における衛星放送受信用のアンテナ装置を用いた衛星放送受信システムの構成を概略的に示す説明図である。
【図２】本発明の実施の形態１における衛星放送受信用のコンバータの機能ブロックを示す図である。
【図３】本発明の実施の形態１におけるコンバータの構成を概略的に示す分解斜視図である。
【図４】図３の線ＩＶ−ＩＶ線に沿った概略断面図である。
【図５】本発明の実施の形態１におけるコンバータの構成を概略的に示す平面図である。
【図６】図５の線ＶＩ−ＶＩに沿った概略断面図である。
【図７】図６の破線部ＶＩＩの概略拡大図である。
【図８】本発明の実施の形態２におけるコンバータの構成を概略的に示す分解斜視図である。
【図９】図８の線ＩＸ−ＩＸ線に沿った概略断面図である。
【図１０】本発明の実施の形態２におけるコンバータの構成を概略的に示す平面図である。
【図１１】図１０の線ＸＩ−ＸＩに沿った概略断面図である。
【図１２】図１１の破線部ＸＩＩの概略拡大図である。
【図１３】本発明の実施の形態３におけるコンバータの構成を概略的に示す分解斜視図である。
【図１４】図１３の線ＸＩＶ−ＸＩＶ線に沿った概略断面図である。
【図１５】本発明の実施の形態３におけるコンバータの構成を概略的に示す平面図である。
【図１６】図１５の線ＸＶＩ−ＸＶＩに沿った概略断面図である。
【図１７】図１６の破線部ＸＶＩＩの概略拡大図である。
【図１８】本発明の実施の形態４におけるコンバータの構成を概略的に示す分解斜視図である。
【図１９】図１８の線ＸＩＸ−ＸＩＸ線に沿った概略断面図である。
【図２０】本発明の実施の形態４におけるコンバータの構成を概略的に示す平面図である。
【図２１】図２０の線ＸＸＩ−ＸＸＩに沿った概略断面図である。
【図２２】図２１の破線部ＸＸＩＩの概略拡大図である。
【図２３】本発明の実施の形態５におけるコンバータの構成を概略的に示す分解斜視図である。
【図２４】図２３の線ＸＸＩＶ−ＸＸＩＶ線に沿った概略断面図である。
【図２５】本発明の実施の形態５におけるコンバータの構成を概略的に示す平面図である。
【図２６】図２５の線ＸＸＶＩ−ＸＸＶＩに沿った概略断面図である。
【図２７】図２６の破線部ＸＸＶＩＩの概略拡大図である。
【図２８】本発明の実施の形態６におけるコンバータの構成を概略的に示す分解斜視図である。
【図２９】の線ＸＸＩＸ−ＸＸＩＸ線に沿った概略断面図である。
【図３０】本発明の実施の形態６におけるコンバータの構成を概略的に示す平面図である。
【図３１】図３０の線ＸＸＸＩ−ＸＸＸＩに沿った概略断面図である。
【図３２】図３１の破線部ＸＸＸＩＩの概略拡大図である。
【符号の説明】
【００５７】
ＣＰ  板金内側部、ＨＭ  半球部分、ＩＰ  シャーシ内側部、ＯＰ  シャーシ外側部、ＰＰ  板金外側部、Ｒｉ，Ｒｏ  リブ、５  シャーシ、６ａ〜６ｆ  板金部材、７  基板、８  フレーム、７１  入力部、７２  低ノイズアンプ、７３  バンドパスフィルタ、７４  ミキサ、７５  局部発信回路、７６  ＩＦアンプ、７７  制御回路、７８  出力部、８０  アンテナ装置、８１  アンテナ部、８２ａ〜８２ｆ  コンバータ、８３  ＩＦケーブル、８４  チューナー、８５  テレビジョン受像機。
【図１】
2010067779.tif 000003
【図２】
2010067779.tif 000004
【図３】
2010067779.tif 000005
【図４】
2010067779.tif 000006
【図５】
2010067779.tif 000007
【図６】
2010067779.tif 000008
【図７】
2010067779.tif 000009
【図８】
2010067779.tif 000010
【図９】
2010067779.tif 000011
【図１０】
2010067779.tif 000012
【図１１】
2010067779.tif 000013
【図１２】
2010067779.tif 000014
【図１３】
2010067779.tif 000015
【図１４】
2010067779.tif 000016
【図１５】
2010067779.tif 000017
【図１６】
2010067779.tif 000018
【図１７】
2010067779.tif 000019
【図１８】
2010067779.tif 000020
【図１９】
2010067779.tif 000021
【図２０】
2010067779.tif 000022
【図２１】
2010067779.tif 000023
【図２２】
2010067779.tif 000024
【図２３】
2010067779.tif 000025
【図２４】
2010067779.tif 000026
【図２５】
2010067779.tif 000027
【図２６】
2010067779.tif 000028
【図２７】
2010067779.tif 000029
【図２８】
2010067779.tif 000030
【図２９】
2010067779.tif 000031
【図３０】
2010067779.tif 000032
【図３１】
2010067779.tif 000033
【図３２】
2010067779.tif 000034